(57)【要約】【課題】埃が溜まり難く、且つ磁性用具を紛失し難い構造の磁性用具トレイを提供する。【解決手段】液体中に分散したＳ極側表面部分とＮ極側表面部分とを異なる色に着色した磁性体の向きを反転することにより筆記線を表示する磁性体反転表示パネルと、少なくとも前記磁性体反転表示パネルの両側に立設した支柱及び該支柱を前記磁性体反転表示パネルの下方で連結した横桟を有するイーゼルとで構成した磁気筆記板装置に配設する磁性用具トレイであって、前記イーゼルの横桟に掛止する掛止部と、前記磁性体反転表示パネルの前に向かって前記掛止部の下方より突出した平地面とを設け、該平地面に、磁気ペンを差込んで係止する磁気ペン用貫通孔と、磁気イレーザーを差込んで係止する磁気イレーザー用貫通孔とを形成したことを特徴とする磁性用具トレイ。【選択図】      図３
2004237569.tif 000002
【特許請求の範囲】
【請求項１】
液体中に分散したＳ極側表面部分とＮ極側表面部分とを異なる色に着色した磁性体の向きを反転することにより筆記線を表示する磁性体反転表示パネルと、少なくとも前記磁性体反転表示パネルの両側に立設した支柱及び該支柱を前記磁性体反転表示パネルの下方で連結した横桟を有するイーゼルとで構成した磁気筆記板装置に配設する磁性用具トレイであって、前記イーゼルの横桟に掛止する掛止部と、前記磁性体反転表示パネルの前に向かって前記掛止部の下方より突出した平地面とを設け、該平地面に、磁気ペンを差込んで係止する磁気ペン用貫通孔と、磁気イレーザーを差込んで係止する磁気イレーザー用貫通孔とを形成したことを特徴とする磁性用具トレイ。
【請求項２】
前記平地面を、前記磁性体反転表示パネルから遠ざかるにしたがい下方へ傾斜する傾斜面としたことを特徴する請求項１に記載の磁性用具トレイ。
【発明の詳細な説明】
【０００１】
【従来の技術】
従来より、例えばＳ極側表面部分を緑にＮ極側表面部分を白に着色した磁性体を分散媒と増稠剤とを主成分とする降伏値を有する液体中に分散してなした分散液体を、複数の液体収容室（例えば、裏面板の上に配した隔壁により仕切られたハニカムセル）に収容し、該液体収容室の表側に透明な表面板を配して筆記面とし、筆記面が白色の状態（Ｎ極側表面部分が筆記面に向いた状態）で、磁気ペンのＮ極を近づけることにより、磁力で磁性体を反転させて白色の背景部に緑色（Ｓ極側表面部分が筆記面に向いた状態）の筆記線を表示する構造の、いわゆる磁性体反転表示パネルは知られている。この様な磁性体反転表示パネルは古くから知られており、例えば特公昭５９−３２７９６号公報等にも記載されている。磁性体反転表示パネルの中でも特に筆記面が大きいものは、表面板の周辺をアルミ等の押出型材にて形成した額縁材で被覆してあり、イーゼルに保持させて立ち姿勢で書き易いようにしてある。尚、通常イーゼルは、磁性体反転表示パネルの両側に支柱を立設し、磁性体反転表示パネルの下方で前記支柱同士を横桟にて連結してある。このイーゼルの支柱に磁性体反転表示パネルの額縁材を固定して磁気筆記板装置となる。また一般的に、支柱の下方には地面と水平な足部材を配設して安定性を向上させ、足部材の下にはキャスターを配設して可搬性を向上させている。この様な、磁気筆記板装置には、磁性体反転表示パネルに使用する磁気ペンや磁気イレーザーを保持させるための磁性用具トレイを設けてある。このトレイは、磁性用具を保持するために上面が凹んだ黒板等で使用される粉受け形状のものが一般的である。あるいは、磁気筆記板とは異なるが実開昭６３−３７２７８号公報に皿形状以外のトレイが記載されている。
【０００２】
【特許文献１】実開昭６３−３７２７８号公報
【０００３】
【発明が解決しようとする課題】
ところで、磁気筆記板装置は磁力で筆記板に書き消しを行うことから、黒板やホワイトボードのように粉が発生することがないため、清潔な環境を必要とする場での使用に適している。しかしながら一般的な粉受け形状のトレイを用いた場合には、その凹部に埃が溜まり易いという問題があった。また、キャスターを用いて運搬を行う時などには、磁気ペンや磁気イレーザーがトレイに対して固定されているわけではないので、磁性用具がトレイから落ちて紛失してしまうという虞があった。尚、実開昭６３−３７２７８号公報に記載のトレイは、ボードの下端に設けた突出部にマーカーのキャップ用の差込み穴を付設し、その差込み穴にマーカーを差込んで保持させるという構造のものであるが、マーカーで筆記した筆記線を消去するイレーザーの保持構造については触れられていない。
【０００４】
本発明は、埃が溜まり難く、且つ磁性用具を紛失し難い構造の磁性用具トレイを提供することを目的とする。
【０００５】
【課題を解決するための手段】
次に、前記課題を解決するために案出した本発明を説明する。
「１．  液体中に分散したＳ極側表面部分とＮ極側表面部分とを異なる色に着色した磁性体の向きを反転することにより筆記線を表示する磁性体反転表示パネルと、少なくとも前記磁性体反転表示パネルの両側に立設した支柱及び該支柱を前記磁性体反転表示パネルの下方で連結した横桟を有するイーゼルとで構成した磁気筆記板装置に配設する磁性用具トレイであって、前記イーゼルの横桟に掛止する掛止部と、前記磁性体反転表示パネルの前に向かって前記掛止部の下方より突出した平地面とを設け、該平地面に、磁気ペンを差込んで係止する磁気ペン用貫通孔と、磁気イレーザーを差込んで係止する磁気イレーザー用貫通孔とを形成したことを特徴とする。
２．  前記平地面を、前記磁性体反転表示パネルから遠ざかるにしたがい下方へ傾斜する傾斜面としたことを特徴する。」
【０００６】
本発明の磁性用具トレイによれば、磁性用具を保持する部分が平地面であることから埃が溜まり難いものとなる。当然のことながら貫通した貫通孔に埃は溜まらない。また、磁気ペンや磁気イレーザーを専用の貫通孔に支持させることができるので、整理が容易となり、磁性用具が係止用の貫通孔にない場合には床面が貫通孔より見えるので、磁性用具の紛失をいち早く判別することができる。
【０００７】
また、平地面を磁性体反転表示パネルから遠ざかるにしたがい下方に傾斜する傾斜面とすることにより、さらに平地面に埃が溜まり難いものになるのと同時に、使用者に対して前下がりの状態となるため、磁性用具の着脱が容易となる。
【０００８】
【発明の実施の形態】
本発明の磁性用具トレイは、金属や樹脂等の種種の材料により成形することができるが、磁性用具の着脱性を考慮すると、磁石に吸着しない非磁性体の材料を選定することが好ましい。磁性用具トレイの成形方法は、押出成形やプレス成形等を用いることができる。掛止部は配設するイーゼルの横桟の形態に合致する形状とすれば良い。また、平地面に設ける磁気ペン用貫通孔及び磁気イレーザー用貫通孔は、双方の貫通孔に係止する磁気ペン及び磁気イレーザーの形態に合わせた形状とすれば良い。具体的に磁気ペンでは、磁気ペンの先端の円錐部や後端の突部が貫通孔に支持される状態で係止される形状とすれば良い。磁気イレーザーでは、消去用の磁石に把持部として被せた被覆体が貫通孔に支持される状態で係止される形状とすれば良い。また、平地面を傾斜させる場合には、磁気ペンや磁気イレーザーを貫通孔に差込んで係止した際に、その傾斜により貫通孔から脱落してしまわない程度の傾斜角度に設定することが肝要である。尚、傾斜角度を可変できる構造としても良い。
【０００９】
【実施例】
本発明の実施例を図を用いて説明する。図において同じ部材、同じ箇所を示す場合には同じ符号を付してある。図１は本実施例の磁性用具トレイを配設した磁気筆記板装置である。磁気筆記板装置１００は磁性体反転表示パネル１０１とイーゼル２０１とで構成してある。磁性体反転表示パネル１０１は、額縁材１０１ａ，１０１ｂ，１０１ｃ，１０１ｄで周囲を被覆してある。イーゼル２０１は、磁性体反転表示パネル１０１の両側に立設した支柱２０２ａ，２０２ｂと、その支柱２０２ａ，２０２ｂの中間部を磁性体反転表示パネル１０１の下方で連結した横桟２０３ａ及び支柱２０２ａ，２０２ｂの下端部を連結した横桟２０３ｂと、支柱２０２ａ，２０２ｂの下端部に固設した足部材２０４ａ，２０４ｂとを有し、足部材２０４ａ，２０４ｂの下部にはキャスター２０５を配設してある。磁性体反転表示パネル１０１とイーゼル２０１とは、ノブ付のボルト３００を支柱２０２ａ，２０２ｂに設けた孔部（図示せず）へ差込み、額縁材１０１ｂ、１０１ｄの側面に設けた雌螺子部（図示せず）に螺着して固定してある。尚、磁性体反転表示パネル１０１の下辺を被覆する額縁材１０１ａとイーゼル２０１の横桟２０３ａとは隙間４００を空けて並設してある。
【００１０】
次に、磁性体反転表示パネルについて簡単に説明を行う。図２は従来構造の磁性体反転表示パネルの断面模式図である。磁性体反転表示パネル１０１は、裏面板１０２に複数のハニカムセル１０３を構成する隔壁１０４を固着して形成した液体収容室１０５の表示面側に、筆記面１０６ａとなる透明な表面板１０６を隔壁１０４に固着して一体としてある。液体収容室１０５には、分散媒と増稠剤とからなる液体１０７中にＳ極とＮ極を有する磁性体１０８を分散した降伏値を有する分散液体１０９を収容してある。磁性体１０８はＳ極側表面部分を緑色に着色し、Ｎ極側表面部分を白色に着色してある。磁性体反転表示パネル１０１に筆記線を描き込むには磁気ペン１１０を使用する。磁気ペン１１０は、円筒形状の軸筒１１１（図は中間部を省略）の先端部に円錐部１１２を有し、後端部に角筒部１１３を有している。円錐部１１２の先端は開口しており、筆記用磁石１１４をＮ極１１４ｎが先端を向くように挿嵌してある。角筒部１１３の後端は開口しており、部分的な消去ができる部分消去用磁石１１５をＳ極１１５ｓが後端を向くように挿嵌してある。例えば、筆記面１０６ａが白色（Ｎ極側表面部分）の表示状態で、磁気ペン１１０のＮ極１１４ｎを筆記面１０６ａに当接して矢印Ｔ方向へ移動させると、磁力（図中の矢印Ｗ）により磁性体１０８の緑色（Ｓ極側表面部分）が線状に筆記面１０６ａ側へ配置される。この場合、背景が白色（Ｎ極側表面部分）の筆記面１０６ａに、緑（Ｓ極側表面部分）の筆記線が描かれた表示状態となる。また、白色の背景に緑（Ｓ極側表面部分）の表示が行われている筆記面１０６ａを白色に戻す場合には、磁気イレーザー１２０を使用する。磁気イレーザー１２０は直方体形状で接触面の大きい消去用磁石１２１を備えており、図において上下にＮ極１２１ｎとＳ極１２１ｓの磁極を有している。磁気イレーザー１２０のＳ極１２１ｓ側には持ち易くするための把持部材１２２を被覆してある。磁気イレーザー１２０のＮ極１２１ｎを、磁性体反転表示パネル１０１の筆記面１０６ａの緑（Ｓ極側表面部分）の表示部分に当接させると、磁力（図中の矢印Ｙ）により磁性体１０８の白色（Ｎ極側表面部分）が筆記面１０６ａ側に配置して、筆記面１０６ａを白色の表示状態に戻すことができる。
【００１１】
本実施例では図１に示すように、磁気筆記板装置１００の左側に磁性用具トレイ１を配設してある。磁性用具トレイ１は、イーゼル２０１の横桟２０３ａに掛止する掛止部２と、磁性体反転表示パネル１０１の前に向かって掛止部２の下方より突出した平地面３とを形成してある。平地面３には、磁気ペン１１０を差込んで係止する磁気ペン用貫通孔４と、磁気イレーザー１２０を差込んで係止する磁気イレーザー用貫通孔５とを穿設してある。掛止部２は額縁材１０１ａと横桟２０３ａとの隙間４００に通してある。
【００１２】
図３は本実施例の磁性用具トレイに磁性用具を差込む前の状態を示す姿図で、図４は磁性用具を差込んだ状態を示す姿図である。また、図５，図６は図４のＡ−Ａ線断面図，Ｂ−Ｂ線断面図である。磁性用具トレイ１の掛止部２は、イーゼル２０１の横桟２０３ａの断面と合致する断面形状で形成してあり、平地面３より上方に起立させた表壁面２ａと、表壁面２ａより水平に折曲げた水平面２ｂと、水平面２ｂより下方に折曲げた裏壁面２ｃとで構成してある。平地面３と表壁面２ａとの成す内角は１０５度に設定してある。したがって、平地面３は床面に対して１５度で傾斜する傾斜面である。尚、水平面２ｂの裏側には磁石板６を貼付けて、鉄製の横桟２０３ａに吸着させてズレ防止としてある。また、磁性用具トレイ１はアルミニウム製の平板材にて成形してあり、平地面３には樹脂製の樹脂板材７を貼付けて磁気ペン１１０や磁気イレーザー１２０がアルミの縁で傷付くことを予防してある。樹脂板材７にも磁気ペン用貫通孔８及び磁気イレーザー用貫通孔９を設けてある。磁気ペン用貫通孔４（８）は円形で、磁気ペン１１０の軸筒１１１の外形より若干大きい孔である。磁気ペン用貫通孔４（８）に磁気ペン１１０の軸筒１１１を差込んだ際には、磁気ペン１１０は後端部の角筒部１１３で支持され、図５の状態で係止できた。磁気イレーザー用貫通孔５（９）は四角形で、磁気イレーザー１２０の消去用磁石１２１の外形より若干大きい孔である。磁気イレーザー用貫通孔５（９）に磁気イレーザーの消去用磁石１２１を差込んだ際には、磁気イレーザー１２０は把持部材１２２で支持され、図６の状態で係止できた。
【００１３】
【発明の効果】
本発明の磁性用具トレイは以上のような構造なので、磁性用具を保持する部分が平地面であることから埃が溜まり難く、また、磁気ペンや磁気イレーザーが係止用の貫通孔にない場合には、床面が貫通孔より見えるため、磁性用具の紛失をいち早く判別することができるものとなった。
【図面の簡単な説明】
【図１】本実施例の磁性用具トレイを配設した磁気筆記板装置である。
【図２】従来構造の磁性体反転表示パネルの断面模式図である。
【図３】本実施例の磁性用具トレイに磁性用具を差込む前の状態を示す姿図である。
【図４】本実施例の磁性用具トレイに磁性用具を差込んだ状態を示す姿図である。
【図５】図４のＡ−Ａ線断面図である。
【図６】図４のＢ−Ｂ線断面図である。
【符号の説明】
１…磁性用具トレイ、
２…掛止部、２ａ…表面壁、２ｂ…水平面、２ｃ…裏面壁、
３…平地面、４…磁気ペン用貫通孔、５…磁気イレーザー用貫通孔、６…磁石板、
７…樹脂板材、８…磁気ペン用貫通孔、９…磁気イレーザー用貫通孔、
１００…磁気筆記板装置、１０１…磁性体反転表示パネル、
１０１ａ，１０１ｂ，１０１ｃ，１０１ｄ…額部材、１０２…裏面板、
１０３…ハニカムセル、
１０４…隔壁、１０５…液体収容室、１０６…表面板、１０６ａ…筆記面、
１０７…液体、１０８…磁性体、１０９…分散液体、
１１０…磁気ペン、１１１…軸筒、１１２…円錐部、１１３…角筒部、
１１４…筆記用磁石、
１１５…部分消去用磁石、
１２０…磁気イレーザー、１２１…消去用磁石、１２２…把持部材、
２０１…イーゼル、２０２ａ，２０２ｂ…支柱、２０３ａ，２０３ｂ…横桟、
２０４ａ，２０４ｂ…足部材、２０５…キャスター、３００…ボルト、
４００…隙間。
【図１】
2004237569.tif 000003
【図２】
2004237569.tif 000004
【図３】
2004237569.tif 000005
【図４】
2004237569.tif 000006
【図５】
2004237569.tif 000007
【図６】
2004237569.tif 000008